(57)【要約】  【課題】  無線ＬＡＮ間でのデータ伝送でのエラー発生の頻度にかかわらず、時間を補正することができる無線ＬＡＮ送信端末、無線ＬＡＮ受信端末、及び無線ＬＡＮ遅延補正方法を提供する。  【解決手段】  無線ＬＡＮ送信装置は、時間情報フレーム検出手段と、時間情報フレームを受け取った時のタイマ値を記憶しておくタイマ記憶手段と、タイマ記憶手段で記憶したタイマ値を遅延情報データとして送信する遅延情報送信手段とを備え、時間情報フレームを伝送した後、遅延情報を送信する。無線ＬＡＮ受信装置は、無線ＬＡＮ送信装置からの遅延情報を受信し、その遅延情報を使用して時間データを補正する。【選択図】  図１
2005159451.tif 000002
【特許請求の範囲】
【請求項１】
受信側からの受信確認フレームを受信して送信側からのフレームの伝送を完了するデータ送信装置であって、
前記フレームが時間情報フレームであることを検出する検出手段と、
前記時間情報フレームを検出した検出時刻を記憶する記憶手段と、
前記受信確認フレームを受信して前記検出時刻を送信する送信手段と、
を備えるデータ送信装置。
【請求項２】
受信側からの受信確認フレームを受信して送信側からのフレームの伝送を完了するデータ送信装置であって、
前記フレームが時間情報フレームであることを検出する検出手段と、
前記時間情報フレームを検出した検出時刻を記憶する記憶手段と、
前記検出時刻からの経過時間を算出する算出手段と、
前記受信確認フレームを受信して前記経過時間を送信する送信手段と、
を備えるデータ送信装置。
【請求項３】
受信側からの受信確認フレームを受信して送信側からのフレームの伝送を完了するデータ送信装置であって、
前記フレームが時間情報フレームであることを検出する検出手段と、
前記時間情報フレームを検出した検出時刻を記憶する記憶手段と、
前記時間情報フレームに前記検出時刻を追加する追加手段と、
を備えるデータ送信装置。
【請求項４】
受信側からの受信確認フレームを受信して送信側からのフレームの伝送を完了するデータ送信装置であって、
前記フレームが時間情報フレームであることを検出する検出手段と、
前記時間情報フレームを検出した検出時刻を記憶する記憶手段と、
前記検出時刻からの経過時間を算出する算出手段と、
前記時間情報フレームに前記経過時間を追加する追加手段と、
を備えるデータ送信装置。
【請求項５】
受信側からの受信確認フレームを受信して送信側からのフレームの伝送を完了するデータ送信装置であって、
前記フレームが時間情報フレームであることを検出する検出手段と、
前記時間情報フレームを検出したときからの経過時間をカウントするタイマ手段と、
前記時間情報フレームに前記経過時間を追加する追加手段と、
を備えるデータ送信装置。
【請求項６】
受信側からの受信確認フレームを受信して送信側からのフレームの伝送を完了するデータ送信装置であって、
前記フレームが時間情報フレームであることを検出する検出手段と、
前記時間情報フレームを検出した検出時刻を記憶する記憶手段と、
前記検出時刻からの経過時間を算出する算出手段と、
前記経過時間に基づいて前記送信データの時間情報を変更する変更手段と、
を備えるデータ送信装置。
【請求項７】
受信側からの受信確認フレームを受信して送信側からのフレームの伝送を完了するデータ送信装置であって、
前記フレームが時間情報フレームであることを検出する検出手段と、
前記時間情報フレームを検出したときからの経過時間をカウントするタイマ手段と、
前記経過時間に基づいて前記送信データの時間情報を変更する変更手段と、
を備えるデータ送信装置。
【請求項８】
前記フレームを蓄積する蓄積手段と、
蓄積されたフレームから任意のフレームを選択する選択手段と、
前記受信確認フレームの受信後に、蓄積されたフレームから時間情報フレームを選択して送信させる制御手段と、
を備える請求項１から７のいずれか一項記載のデータ送信装置。
【請求項９】
送信側へ受信確認フレームを送信して受信側へのフレームの伝送を完了するデータ受信装置であって、
前記フレームが時間情報フレームであることを検出する検出手段と、
前記時間情報フレームを蓄積する蓄積手段と、
請求項１記載のデータ送信装置から送信される前記検出時刻に基づいて遅延時間を算出する算出手段と、
前記遅延時間に基づいて前記時間情報フレームの時間情報を補正する補正手段と、
を備えるデータ受信装置。
【請求項１０】
送信側へ受信確認フレームを送信して受信側へのフレームの伝送を完了するデータ受信装置であって、
前記フレームが時間情報フレームであることを検出する検出手段と、
前記時間情報フレームを蓄積する蓄積手段と、
請求項２記載のデータ送信装置から送信される前記経過時間に基づいて前記時間情報フレームの時間情報を補正する補正手段と、
を備えるデータ受信装置。
【請求項１１】
送信側へ受信確認フレームを送信して受信側へのフレームの伝送を完了するデータ受信装置であって、
前記フレームが時間情報フレームであることを検出する検出手段と、
請求項３記載のデータ送信装置から送信される前記時間情報フレームの前記検出時刻に基づいて遅延時間を算出する算出手段と、
前記遅延時間に基づいて前記時間情報フレームの時間情報を補正する補正手段と、
を備えるデータ受信装置。
【請求項１２】
送信側へ受信確認フレームを送信して受信側へのフレームの伝送を完了するデータ受信装置であって、
前記フレームが時間情報フレームであることを検出する検出手段と、
請求項４または５記載のデータ送信装置から送信される前記時間情報フレームの前記経過時間に基づいて前記時間情報フレームの時間情報を補正する補正手段と、
を備えるデータ受信装置。
【発明の詳細な説明】
【技術分野】
【０００１】
本発明は、データの送受信を行うデータ送信装置及びデータ受信装置に関するものである。
【背景技術】
【０００２】
例えば、無線通信によりデータの送受信を行う無線ＬＡＮ装置において、データ伝送は、送信端末が送信したデータを受信端末で正しく受信した場合に、受信端末から送り返される正常受信データ（以下ＡＣＫデータ）を、送信端末が受け取ることによりデータ伝送を完了する。送信端末がＡＣＫデータを受け取らなかった場合には、データが正しく受信端末に届いていないと判断し、送信端末は再度データを送り直す（これを再送処理と呼ぶ）。再送処理は受信端末からＡＣＫデータが送信端末へ返ってくるまで繰り返される（例えば、非特許文献１参照）。
【０００３】
図２２に示す従来の無線ＬＡＮ送信装置において、送信データバッファ５０１は送信データを一時的に蓄えておく送信データバッファであり、送信データバッファ５０１に送信データが入力されたことを示す送信要求信号と送信データバッファ信号を出力する。送信制御部５０２は送信要求信号により送信動作を開始し、バッファ選択信号と、送信指示信号と、送信データバッファ出力指示信号と、再送データバッファ出力指示信号と、受信指示信号とを出力する。バッファ選択部５０３は送信制御部５０２からのバッファ選択信号により送信データバッファ信号もしくは再送データバッファ信号を選択し、選択送信データを出力する。送信部５０４は送信制御部５０２からの送信指示信号によりバッファ選択部５０３からの出力である選択送信データを変調し、送信アンテナ５０５に出力する。再送データバッファ５０６は、送信データバッファ信号を取り込み、送信制御部５０２からの再送データバッファ出力指示信号の指示により、バッファ選択部５０３に再送データバッファ信号を出力する。受信部５０８は、送信制御部５０２からの受信指示信号により受信アンテナ５０９で入力されたデータを受信し、受信データに出力する。ＡＣＫ検出部５０７は、受信データがＡＣＫデータであることを検出し、ＡＣＫ検出信号を出力する。
【０００４】
図２３に示す従来の無線ＬＡＮ受信装置において、受信アンテナ５１６は受信部５１１に接続されている。受信部５１１では受信アンテナ５１６で受信した信号を復調処理し、復調データを出力する。受信データバッファ５１３は、復調データを蓄える。エラー検出部５１４は復調データにエラーがないかどうかを検出し、正常受信確認信号と復調データ有効信号を出力する。ＡＣＫ送信部５１５は、正常受信確認信号によりＡＣＫデータを出力する。送信部５１２は、ＡＣＫデータを変調し送信アンテナ５０５に出力する。
【０００５】
図２４はデータの送受信動作の手順を示す図である。ここでは、無線ＬＡＮ送信装置から無線ＬＡＮ受信装置にデータを送信する場合において、１度目のデータ伝送ではエラーが発生し、再送処理後、２度目のデータ伝送でエラーなしでデータが受信できるとした場合の手順を示している。まず、無線ＬＡＮ送信装置においてデータを送信する。送信されるデータが送信データバッファ５０１に入力される。送信制御部５０２は送信データが入力されたことを送信要求信号で認識する。送信制御部５０２はバッファ選択信号で送信データバッファ信号を選択するように指示する。その後、送信データバッファ出力指示信号をアクティブにし、送信データバッファ信号が出力される。また、同時に送信指示信号をアクティブにし送信部５０４より送信データバッファ信号がバッファ選択部５０３を通過し、選択送信データに出力され、送信部５０４で変調され、送信アンテナ５０５を介して出力される。また、再送データバッファ５０６では送信データバッファ信号をバッファ内に取り込む。送信制御部５０２では送信が完了すると送信データバッファ出力指示信号と送信指示信号をインアクティブにし、受信指示信号をアクティブにしてＡＣＫデータの受信を開始する。
【０００６】
無線ＬＡＮ受信装置では、受信部５１１は、受信アンテナ５１６を介して、無線ＬＡＮ送信装置からの信号を受信し、受信信号を復調し、復調データを出力する。エラー検出部５１４は復調データにエラーが含まれているかを確認する。１度目のデータ伝送ではエラーが発生しているため、復調データにエラーが含まれる。このため正常受信確認信号、復調データ有効信号は共にインアクティブのままである。
【０００７】
無線ＬＡＮ送信装置では、ＡＣＫ検出部５０７でＡＣＫデータが検出されないため、ＡＣＫ検出信号はインアクティブとなる。送信制御部５０２ではＡＣＫ検出信号がインアクティブのためデータが届かなかったと判断し、受信指示信号をインアクティブにし、バッファ選択信号に再送データバッファ信号を選択するように指示する。その後、再送データバッファ出力指示信号をアクティブにし、再送データバッファ５０６からデータを出力させる。また同時に送信指示信号をアクティブにし、送信部５０４より再送データバッファ信号がバッファ選択部５０３を通過し、選択送信データに出力され、送信部５０４で変調され、送信アンテナ５０５を介して出力される。送信制御部５０２は、送信が完了すると、再送データバッファ出力指示信号と送信指示信号をインアクティブに、受信指示信号をアクティブにしてＡＣＫデータの受信を開始する。
【０００８】
無線ＬＡＮ受信装置では、受信部５１１は、受信アンテナ５１６を介して無線ＬＡＮ送信装置からの信号を受信し、受信した信号を復調し、復調データを出力する。受信データバッファ５１３は復調データを取り込む。エラー検出部５１４は復調データにエラーがあるかを確認する。２度目のデータ伝送ではエラーなしでデータを受信するため、復調データにエラーが含まれていない。このため正常受信確認信号、復調データ有効信号をアクティブにする。ＡＣＫ送信部５１５では正常受信確認信号がアクティブなため、ＡＣＫデータを出力する。送信部５１２ではＡＣＫデータを変調し、送信アンテナ５０７を介して出力する。また受信データバッファ５１３は復調データを受信データとして出力する。
【０００９】
無線ＬＡＮ送信装置において、ＡＣＫ検出部５０７はＡＣＫデータを検出したため、ＡＣＫ検出信号がアクティブとなる。送信制御部５０２はＡＣＫ検出信号がアクティブになったため、送信データが正常に送れたと判断し、次の送信データ待ち状態になる。
【非特許文献１】ISO/IEC 8802-11:1999(E)Information technology - Telecommunications and information exchange between systems - Local and metropolitan area networks - Specific requirements - Part 11:Wireless LAN Medium Access Control (MAC)  and Physical Layer (PHY) specifications
【発明の開示】
【発明が解決しようとする課題】
【００１０】
上述のように従来の無線ＬＡＮ送受信装置では、無線伝送時にエラーが発生した場合に、無線ＬＡＮ端末間でデータの再送処理が行われるが、無線伝送時のエラーの発生頻度は不確定であるため、エラーと再送を何回繰り返してデータ伝送が完了するのが予測できない。このため、無線ＬＡＮ端末間での遅延時間は不定値であり、時計合わせを行うなどの正確な絶対時間情報を持つデータ伝送は困難である。本発明は、従来の問題を解決するためになされたもので、絶対時間情報を持つようなデータの伝送を可能にするデータ送信装置及びデータ受信装置を提供することを目的とする。
【課題を解決するための手段】
【００１１】
本発明のデータ送信装置は、受信側からの受信確認フレームを受信して送信側からのフレームの伝送を完了するデータ送信装置であって、前記フレームが時間情報フレームであることを検出する検出手段と、前記時間情報フレームを検出した検出時刻を記憶する記憶手段と、前記受信確認フレームを受信して前記検出時刻を送信する送信手段とを備える。この構成によれば、データ伝送でエラーが発生した場合でも、時間情報フレームを検出した時刻を受信側へ送信することで、受信側における遅延時間の補正が可能となる。
【００１２】
また本発明のデータ送信装置は、受信側からの受信確認フレームを受信して送信側からのフレームの伝送を完了するデータ送信装置であって、前記フレームが時間情報フレームであることを検出する検出手段と、前記時間情報フレームを検出した検出時刻を記憶する記憶手段と、前記検出時刻からの経過時間を算出する算出手段と、前記受信確認フレームを受信して前記経過時間を送信する送信手段とを備える。この構成によれば、送信側で時間情報フレームを検出した時刻からの経過時間を算出して受信側へ送信するので、送受信間でのタイマ値が異なる場合や受信側にタイマがない場合でも遅延時間の補正が可能となる。
【００１３】
また、本発明のデータ送信装置は、受信側からの受信確認フレームを受信して送信側からのフレームの伝送を完了するデータ送信装置であって、前記フレームが時間情報フレームであることを検出する検出手段と、前記時間情報フレームを検出した検出時刻を記憶する記憶手段と、前記時間情報フレームに前記検出時刻を追加する追加手段とを備える。この構成によれば、時間情報フレームを検出した検出時刻を時間情報フレームに追加して送信することで、遅延情報を送るための余分なパケットを必要としないため、データ伝送効率が向上する。また、新たに送信する遅延情報フレーム自体の伝送エラーの可能性も排除できる。
【００１４】
また、本発明のデータ送信装置は、受信側からの受信確認フレームを受信して送信側からのフレームの伝送を完了するデータ送信装置であって、前記フレームが時間情報フレームであることを検出する検出手段と、前記時間情報フレームを検出した検出時刻を記憶する記憶手段と、前記検出時刻からの経過時間を算出する算出手段と、前記時間情報フレームに前記経過時間を追加する追加手段とを備える。この構成によれば、この構成によれば、時間情報フレームを検出した検出時刻から経過時間を時間情報フレームに追加して送信することで、遅延情報を送るための余分なパケットを必要としないため、データ伝送効率が向上する。また、新たに送信する遅延情報フレーム自体の伝送エラーの可能性も排除できる。また、送信側で時間情報フレームを検出した時刻からの経過時間を算出して受信側へ送信するので、送受信間でのタイマ値が異なる場合や受信側にタイマがない場合でも遅延時間の補正が可能となる。
【００１５】
また、本発明のデータ送信装置は、受信側からの受信確認フレームを受信して送信側からのフレームの伝送を完了するデータ送信装置であって、前記フレームが時間情報フレームであることを検出する検出手段と、前記時間情報フレームを検出したときからの経過時間をカウントするタイマ手段と、前記時間情報フレームに前記経過時間を追加する追加手段とを備える。この構成によれば、タイマ手段を備えることで、希望精度での時間計測が可能となる。また、経過時間を時間情報フレームに追加して送信することで、遅延情報を送るための余分なパケットを必要としないため、データ伝送効率が向上する。また、新たに送信する遅延情報フレーム自体の伝送エラーの可能性も排除できる。
【００１６】
また、本発明のデータ送信装置は、受信側からの受信確認フレームを受信して送信側からのフレームの伝送を完了するデータ送信装置であって、前記フレームが時間情報フレームであることを検出する検出手段と、前記時間情報フレームを検出した検出時刻を記憶する記憶手段と、前記検出時刻からの経過時間を算出する算出手段と、前記経過時間に基づいて前記送信データの時間情報を変更する変更手段とを備える。この構成によれば、検出時刻からの算出した経過時間により遅延時間を補正することで、送信フレームが長くならず、伝送効率の低下も回避することができる。
【００１７】
また、本発明のデータ送信装置は、受信側からの受信確認フレームを受信して送信側からのフレームの伝送を完了するデータ送信装置であって、前記フレームが時間情報フレームであることを検出する検出手段と、前記時間情報フレームを検出したときからの経過時間をカウントするタイマ手段と、前記経過時間に基づいて前記送信データの時間情報を変更する変更手段とを備える。この構成によれば、タイマ手段を備えることで希望精度での時間計測が可能となる。また、カウントした経過時間により遅延時間を補正することで、送信フレームが長くならず、伝送効率の低下も回避することができる。
【００１８】
本発明のデータ受信装置は、送信側へ受信確認フレームを送信して受信側へのフレームの伝送を完了するデータ受信装置であって、前記フレームが時間情報フレームであることを検出する検出手段と、前記時間情報フレームを蓄積する蓄積手段と、送信される前記検出時刻に基づいて遅延時間を算出する算出手段と、前記遅延時間に基づいて前記時間情報フレームの時間情報を補正する補正手段とを備える。この構成によれば、送信される検出時刻に基づいて遅延時間を算出することで、時間情報フレームの補正が可能となる。
【００１９】
また、本発明のデータ受信装置は、送信側へ受信確認フレームを送信して受信側へのフレームの伝送を完了するデータ受信装置であって、前記フレームが時間情報フレームであることを検出する検出手段と、前記時間情報フレームを蓄積する蓄積手段と、送信される前記経過時間に基づいて前記時間情報フレームの時間情報を補正する補正手段とを備える。この構成によれば、送信側で算出された経過時間に基づいて時間情報フレームの補正が可能になるため、送受信間でのタイマ値が異なる場合や受信側にタイマがない場合でも遅延時間の補正が可能となる。
【００２０】
また、本発明のデータ受信装置は、送信側へ受信確認フレームを送信して受信側へのフレームの伝送を完了するデータ受信装置であって、前記フレームが時間情報フレームであることを検出する検出手段と、送信される前記時間情報フレームの前記検出時刻に基づいて遅延時間を算出する算出手段と、前記遅延時間に基づいて前記時間情報フレームの時間情報を補正する補正手段とを備える。この構成によれば、時間情報フレームの受信時に検出時刻も取得することができ、遅延情報の受信エラーを回避することができる。
【００２１】
また、本発明のデータ受信装置は、送信側へ受信確認フレームを送信して受信側へのフレームの伝送を完了するデータ受信装置であって、前記フレームが時間情報フレームであることを検出する検出手段と、送信される前記時間情報フレームの前記経過時間に基づいて前記時間情報フレームの時間情報を補正する補正手段とを備える。この構成によれば、時間情報フレームの受信時に経過時間も取得することができ、遅延情報の受信エラーを回避することができる。
【発明の効果】
【００２２】
本発明によれば、データ伝送でエラーが発生した場合でも、時間情報フレームを検出した時刻や検出した時刻からの経過時間を受信側へ送信することで、受信側における遅延時間の補正が可能となる。これにより、絶対時間情報を持つようなデータの伝送が可能となる。
【発明を実施するための最良の形態】
【００２３】
（第１実施形態）
図１は本発明の第１実施形態に係る無線ＬＡＮ送信装置の要部構成を示すブロック図である。第１実施形態の無線ＬＡＮ送信装置は、送信データバッファ１５１と、送信制御部１５２と、バッファ選択部１５３と、送信部１５４と、送信アンテナ１５５と、再送データバッファ１５６と、ＡＣＫ検出部１５７と、受信部１５８と、受信アンテナ１５９と、時間情報フレーム検出部１００と、タイマ記憶部１０２と、遅延情報送信部１０３とを備える。
【００２４】
送信データバッファ１５１は、送信データを一時的に蓄えておき、この送信データバッファ１５１に送信データが入力されたことを示す送信要求信号と、送信データバッファ信号を出力する。送信制御部１５２は、送信データバッファ１５１からの送信要求信号が入力されると、送信動作を開始し、バッファ選択信号と、送信指示信号と、送信データバッファ出力指示信号と、再送データバッファ出力指示信号と、受信指示信号と、を出力する。バッファ選択部１５３は、送信制御部１５２からのバッファ選択信号により、送信データバッファ１５１からの送信データバッファ信号もしくは再送データバッファ１５６からの再送データバッファ信号を選択して入力し、選択送信データを出力する。送信部１５４は、送信制御部１５２からの送信指示信号によりバッファ選択部１５３からの出力である選択送信データを変調し、送信アンテナ１５５から出力する。再送データバッファ１５６は、送信データバッファ１５１からの送信データバッファ信号を取り込み、送信制御部１５２からの再送データバッファ出力指示信号により、バッファ選択部１５３に再送データバッファ信号を出力する。受信部１５８は、送信制御部１５２からの受信指示信号により、受信アンテナ１５９からデータを受信し、受信データを出力する。ＡＣＫ検出部１５７は、受信部１５８からの受信データがＡＣＫデータであることを検出し、ＡＣＫ検出信号を送信制御部１５２に出力する。
【００２５】
また、時間情報フレーム検出部１００は、送信データが時間情報を伝送するフレームであることを検出し、時間情報フレーム検出信号を出力する。時間情報フレームの検出は、送信データの内部に検出用ビットを設けることや送信データを送る直前にデータ送り側から通知するなどの方法がある。タイマ記憶部１０２は、時間情報フレーム検出部１００から時間情報フレーム検出信号が入力されたとき、無線ＬＡＮ送信装置内のクロックで動作するタイマ１０１からのタイマデータを記憶し、送信データ取り込み時間を出力する。遅延情報送信部１０３は、送信制御部１５２にＡＣＫ検出部１５７からのＡＣＫ検出信号が入力される。遅延情報送信部１０３は、送信制御部１５２から遅延情報データの送信を指示する遅延情報送信指示信号が入力されると、送信部１５４に遅延情報データを出力する。そして、送信部１５４は、遅延情報データを送信することを指示する送信指示信号が入力されると遅延情報データを送信アンテナ１５５から送信する。
【００２６】
図２及び図３は上記構成の無線ＬＡＮ送信装置の送信動作を示すフローチャートである。ここでは、無線ＬＡＮ送信装置から無線ＬＡＮ受信装置に第１のデータと第２のデータを送信する場合に、図２０に示すとおり第１のデータは１度の送信で正常受信され、そして第２のデータは１度目のデータ伝送ではエラーが発生したため正常受信されず、その後の無線ＬＡＮ送信装置の再送処理により、２度目のデータ伝送ではエラーなしでデータが受信される場合について説明する。なお、第１のデータは時間情報伝送しない通常のデータであり、第２のデータは時間情報を伝送する時間情報フレームである。
【００２７】
データ送信を開始すると（ステップＳ２０１）、送信データが送信データバッファ１５１に入力される（ステップＳ２０２）。送信制御部１５２は送信データが入力されたことを送信要求信号で認識する。時間情報フレーム検出部１００は、送信データが時間情報フレームであるかを判断する（ステップＳ２０３）。入力された送信データが時間情報フレームではないと判定されると、時間情報フレーム検出信号はインアクティブとなり、時間情報フレーム検出部１００で検出されない（ステップＳ２０４）。
【００２８】
送信制御部１５２は送信データバッファ信号を選択するように指示するバッファ選択信号をバッファ選択部１５３に出力する（ステップＳ２０５）。バッファ選択部１５３はバッファ選択信号が入力されると、送信データバッファ出力指示信号をアクティブにし、送信データバッファ１５１からの送信データバッファ信号を選択送信データとして出力する（ステップＳ２０６）。また、送信制御部１５２は送信指示信号により送信部１５４に選択送信データを送信するよう指示する。送信部１５４は選択送信データを変調し、送信アンテナ１５５から送信する（ステップＳ２０７）。送信データを送信アンテナ１５５から送信した後、再送データバッファ１５６は送信データバッファ信号をバッファ内に取り込む（ステップＳ２０８）。送信制御部１５２は、送信データの送信が完了すると、送信データバッファ出力指示信号と送信指示信号をインアクティブにし、受信指示信号をアクティブにして、受信部１５８にＡＣＫデータの受信を開始させる（ステップＳ２０９）。
【００２９】
ＡＣＫ検出部１５７は、ＡＣＫデータを受信したかを検出する（ステップＳ２１０）。ステップＳ２１０において、第１の送信データに対するＡＣＫデータが受信されると、ＡＣＫ検出信号がアクティブとなる。送信制御部１５２は、ＡＣＫ検出信号がアクティブになったため、第１の送信データが正常に送信したと判断し、次の送信データを待つ（ステップＳ２１１）。
【００３０】
第２の送信データの送信を開始すると（ステップＳ２０１）、第２の送信データが送信データバッファ１５１に入力される（ステップＳ２０２）。送信制御部１５２は送信データが入力されたことを送信要求信号で認識する。時間情報フレーム検出部１００は、送信データが時間情報フレームであるかを検出する（ステップＳ２０３）。時間情報フレーム検出部１００は、入力された送信データが時間情報フレームであると判定された場合、時間情報フレーム検出信号をアクティブにする（ステップＳ２１２）。タイマ記憶部１０２はタイマ１０１からのタイマデータを取り込み記憶し、送信データ取り込み時間として遅延情報送信部１０３に出力する（ステップＳ２１３）。以降の手順、すなわち、第２の送信データの送信手順は、ステップＳ２０５〜Ｓ２０９で示した手順と同様である。
【００３１】
ステップＳ２０９でＡＣＫデータの受信を開始した後、ＡＣＫ検出部１５７は、ＡＣＫデータの検出を行い、ＡＣＫデータを受信したかを検出する（ステップＳ２１０）。第２の送信データは２度目のデータ伝送でエラーなしで受信されるため、１度目のデータ転送では、ＡＣＫデータは検出されず、ＡＣＫ検出信号はインアクティブとなる（ステップＳ２１４）。
【００３２】
送信制御部１５２は、ＡＣＫ検出信号がインアクティブのため、無線ＬＡＮ送信装置から無線ＬＡＮ受信装置に送信データが送信されなかったと判断し、受信指示信号をインアクティブにし、バッファ選択信号によりバッファ選択部１５３に再送データバッファ信号を選択するように指示する（ステップＳ２１５）。そして、送信制御部１５２は、再送データバッファ出力指示信号をアクティブにし、再送データバッファ１５６からバッファ選択部１５３に再送データバッファ信号を出力させる（ステップＳ２１６）。また、送信制御部１５２は、送信指示信号によりバッファ選択部１５３から出力された選択送信データの再送を指示し、送信部１５４は選択送信データを変調し、送信アンテナ１５５から送信する（ステップＳ２１７）。送信制御部１５２は、送信データの送信が完了すると、再送データバッファ出力指示信号と送信指示信号をインアクティブにし、受信指示信号をアクティブにして、受信部１５８にＡＣＫデータの受信を開始させる（ステップＳ２１８）。
【００３３】
ＡＣＫ検出部１５７は、ＡＣＫデータを受信したかを検出する（ステップＳ２１９）。第２の送信データは２度目のデータ伝送ではエラーなしで受信されるので、ＡＣＫデータが検出され、ＡＣＫ検出信号がアクティブとなる（ステップＳ２２０）。
【００３４】
送信制御部１５２はＡＣＫ検出信号がアクティブであるため、送信データが正常に送信されたと判断する。ステップＳ２１２で、時間情報フレーム検出信号がアクティブであるため、送信制御部１５２は遅延情報送信指示信号をアクティブにし、送信指示信号により送信部１５４に遅延情報データを送信するよう指示する（ステップＳ２２１）。
【００３５】
遅延情報送信部１０３は、送信部１５４に送信データ取り込み時間を含む遅延情報データを出力する。送信部１５４は遅延情報データを変調し、送信アンテナ１５５から出力する（ステップＳ２２２）。
【００３６】
送信制御部１５２は、送信が完了すると、遅延情報送信指示信号と送信指示信号をインアクティブにし、受信指示信号をアクティブにして、受信部１５８にＡＣＫデータの受信を開始させる（ステップＳ２２３）。ステップＳ２２４において、ＡＣＫデータが受信される場合、ＡＣＫ検出信号がアクティブになるため、送信データが正常に送信されたと判断し、次の送信データを待つ（ステップＳ２２５）。一方、ステップＳ２２４において、ＡＣＫデータが受信されない場合、ステップＳ２２１に戻り、ステップＳ２２１〜Ｓ２２４をＡＣＫ信号が受信されるまで繰り返し実行する。
【００３７】
上記構成によれば、無線ＬＡＮ間のデータ伝送でエラーが発生した場合でも、無線ＬＡＮ送信装置は送信データが無線ＬＡＮ送信装置に届いた時間を記憶し、その時間を無線ＬＡＮ受信装置に送ることができる。このため、無線ＬＡＮ間でのデータ伝送でのエラー発生の頻度にかかわらず、時間を補正することができる。また、複数端末が通信をする場合には無線ＬＡＮ受信装置は複数の端末からデータが送られてくる場合があり、再送回数のカウントなど受信装置側で確認できる情報だけではデータ遅延時間の測定は不可能である。しかし、上記構成によれば複数端末間での通信の場合でも遅延時間を測定することができる。
【００３８】
（第２実施形態）
図４は本発明の第２実施形態に係る無線ＬＡＮ送信装置の要部構成を示すブロック図である。第２実施形態は、時間情報フレーム検出部１００で送信データが時間情報フレームであることを検出した場合、無線ＬＡＮ受信装置にタイマデータと送信データ取り込み時間との差を遅延時間データとして送信する。第２実施形態に係る無線ＬＡＮ送信装置は、第１実施形態の構成に対し、新たに遅延時間計算部１０４を備える。遅延時間計算部１０４は、常にタイマ１０１のタイマデータと送信データ取り込み時間の差を計算し、その時間差を遅延時間データとして遅延情報送信部１０３に出力する。送信動作は、第１実施形態の送信動作を示す図２及び図３において、ステップＳ２１３で送信データ取り込み時間を遅延情報送信部１０３に出力する代わりに、遅延時間計算部１０４で計算した遅延時間データを出力する。これ以外の動作は第１実施形態の無線ＬＡＮ送信装置の送信動作と同様である。
【００３９】
上記構成によれば、遅延時間計算部１０４を設けて送信装置側のタイマで遅延時間を計算することにより、送信装置と受信装置のタイマ値が異なる、もしくは受信装置側にタイマがない場合でも、有効に遅延時間を補正することができる。
【００４０】
（第３実施形態）
図５は本発明の第３実施形態に係る無線ＬＡＮ送信装置の要部構成を示すブロック図である。第３実施形態は、送信データ取り込み時間を選択送信データの最後に追加した更新フレームデータを送信部１５４に出力する例である。
【００４１】
第３実施形態に係る無線ＬＡＮ送信装置は、図１に示す第１実施形態の構成において、遅延情報送信部１０３を削除し、バッファ選択部１５３と送信部１５４の間にフレーム情報追加部１０５を設けたものである。フレーム情報追加部１０５の出力である更新フレームデータを送信部１５４に入力する。遅延情報送信指示信号はフレーム情報追加部１０５に出力される。送信部１５４は、送信制御部１５２からの送信指示信号がアクティブになると、フレーム情報追加部１０５からのデータである更新フレームデータを送信アンテナ１５５から送信する。なお、図１に示した第１実施形態の無線ＬＡＮ送信装置と同一の構成要素には、同一の符号を付してその説明を省略する。
【００４２】
フレーム情報追加部１０５は、タイマ記憶部１０２からのデータである送信データ取り込み時間を選択送信データの最後に追加し、送信データ取り込み時間を追加した更新フレームデータを送信部１５４に対して出力する。
【００４３】
図２１は、上記のように構成された無線ＬＡＮ送信装置の送受信手順を示す。本実施形態の無線ＬＡＮ送信装置は、第１実施形態の無線ＬＡＮ送信装置の送信動作を示す図２及び図３において、時間情報フレームを送信するとき、第２の送信データは、フレーム情報追加部１０５でタイマ記憶部１０２からの送信データ取り込み時間を選択送信データの最後に追加した更新フレームデータである。従って、ステップＳ２０７において、第２の送信データを送信するとき、この第２の送信データは時間情報フレームであるので、時間情報フレーム検出信号がアクティブになり、送信制御部１５２は遅延情報送信指示信号をアクティブにし、かつ送信指示信号をアクティブにする。フレーム情報追加部１０５は、タイマ記憶部１０２からの送信データ取り込み時間を選択送信データの最後に追加した更新フレームデータを送信部１５４に出力し、送信部１５４は更新フレームデータを変調し送信アンテナ１５５から送信する。
【００４４】
図２１に示す送受信手順では、第２の送信データは１度目のデータ伝送ではエラーが発生したため正常受信されず、その後の無線ＬＡＮ送信装置の再送処理により、２度目のデータ伝送ではエラーなしでデータが受信できるとした。したがって、図２及び図３において、ステップＳ２１０で第２の送信データの１度目のデータ伝送後にＡＣＫデータを受信したかを判断するとき、受信しなかったと判定し、再送処理を行う。ステップＳ２１７で、選択送信データを出力するとき、ステップＳ２０７と同様に、フレーム情報追加部１０５が、タイマ記憶部１０２からの送信データ取り込み時間を選択送信データの最後に追加した更新フレームデータを送信部１５４に対して出力する。送信部１５４は更新フレームデータを変調し送信アンテナ１５５から出力する。
【００４５】
また、本実施形態では、時間情報フレームを送信するとき、送信データ取り込み時間を選択送信データの最後に追加し、更新フレームデータを送信部１５４に出力し、無線ＬＡＮ受信装置へ送信する。このため、第２の送信データの２度目のデータ伝送後の遅延情報データの送信は不要となり、すなわち、ステップＳ２２０〜Ｓ２２４は不要となり、直ちに、次の送信データ待ち状態になる。
【００４６】
このように、第３実施形態では、時間情報フレームを送信するとき、送信データ取り込み時間を選択送信データの最後に追加し、更新フレームデータを送信部に出力し、無線ＬＡＮ受信装置へ送信する。このため、遅延情報を送信するための余分なデータの送信を必要としないため、データ伝送効率が向上する。また、遅延情報データそのものがエラーとなる可能性も排除できる。
【００４７】
（第４実施形態）
図６は本発明の第４実施形態に係る無線ＬＡＮ送信装置の要部構成を示すブロック図である。第４実施形態は、常にタイマ１０２の値と送信データ取り込み時間の差を計算し、遅延時間データとしてフレーム情報追加部１０５に出力し、遅延時間を送信データの最後に追加した更新フレームデータを送信部１５４に出力する例である。第４実施形態に係る無線ＬＡＮ送信装置は、第３実施形態の構成に対し、タイマ記憶部１０２とフレーム情報追加部１０５の間に遅延時間計算部１０４を備える。遅延時間計算部１０４は、常にタイマ１０２の値と送信データ取り込み時間の差を計算し、その時間差を遅延時間データとしてフレーム情報追加部１０５に出力する。送信動作は、第３実施形態におけるフレーム情報追加部１０５の動作、すなわち、タイマ記憶部１０２からの送信データ取り込み時間を送信データの最後に追加する代わりに、タイマ１０１の値と送信データ取り込み時間の差を計算し、その時間差を遅延時間データとしてフレーム情報追加部１０５に入力する。フレーム情報追加部１０５は、遅延時間データを選択送信データの最後に追加した更新フレームデータを送信部１５４に出力する。
【００４８】
上記構成によれば、遅延時間データを送信データの最後に追加した更新フレームデータを送信部に出力し、無線ＬＡＮ受信装置へ送信することにより、遅延情報を送信するための余分なデータ送信を必要としないため、データ伝送効率が向上するとともに、送信装置側で遅延時間を計算するので、送受信間のタイマ値が異なる場合、もしくは受信装置側でタイマを持たない場合でも、有効に遅延時間を補正することができる。
【００４９】
（第５実施形態）
図７６は本発明の第５実施形態に係る無線ＬＡＮ送信装置の要部構成を示すブロック図である。第５実施形態は、無線ＬＡＮ送信装置内に遅延時間をカウントする専用の経過時間タイマ１０６を設けている。第５実施形態に係る無線ＬＡＮ送信装置は、第３実施形態の構成に対し、タイマ１０１とタイマ記憶部１０２とを削除し、時間情報フレーム検出部１００とフレーム情報追加部１０５との間に経過時間タイマ１０６を備える。従って、フレーム情報追加部１０５に対する出力は経過時間となる。経過時間タイマ１０６は、時間情報フレーム検出部１００に送信データが入力され時間情報フレームであることを検出した際、経過時間タイマ１０６のカウントが初期化され、カウントアップを開始し、時間情報フレーム検出からの経過時間を計測する。
【００５０】
送信動作は、第３実施形態における、第１の送信データに対するＡＣＫデータを検出するまでの動作と同じである。第２の送信データを送信する際、時間情報フレーム検出部１００は、送信データが時間情報フレームであることを検出する。時間情報フレーム検出信号がアクティブになったため、経過時間タイマ１０６のカウントは初期化され、カウントアップを開始する。送信制御部１５２がフレーム情報追加部１０５に対して遅延情報送信指示信号をアクティブにした時には、第３実施形態とは異なり、経過時間を選択送信データの最後に追加した更新フレームデータを送信部１５４に出力する。
【００５１】
上記構成によれば、無線ＬＡＮ送信装置内に遅延時間をカウントする専用の経過時間タイマを設けることにより、さまざまな精度の時間計測が可能となる。
【００５２】
（第６実施形態）
図８は本発明の第６実施形態に係る無線ＬＡＮ送信装置の要部構成を示すブロック図である。第６実施形態に係る無線ＬＡＮ送信装置は、第４実施形態の構成に対し、フレーム情報追加部１０５の代わりに、機能が異なる時間情報変更部１０７を備える。時間情報変更部１０７は、送信制御部１５２からの遅延情報送信指示信号がアクティブである時に、遅延時間計算部１０４からの遅延時間データを選択送信データに含まれる時間情報データに加算することにより、時間情報そのものを変更する。
【００５３】
送信動作において第４実施形態と異なる点は、遅延情報送信指示信号がアクティブであるとき、時間情報変更部１０７には、遅延時間データが常に入力されており、選択送信データに含まれる時間情報に遅延時間データを加算して更新フレームデータに出力することである。
【００５４】
上記構成によれば、フレーム内の時間情報そのものを送信装置側で変更するため、フレームが長くならず、また時間補正による伝送効率の低下がない。
【００５５】
（第７実施形態）
図９は本発明の第７実施形態に係る無線ＬＡＮ送信装置の要部構成を示すブロック図である。第７実施形態に係る無線ＬＡＮ送信装置は、第６実施形態の構成に対し、タイマ１０１とタイマ記憶部１０２と遅延時間計算部１０４とを削除し、時間情報フレーム検出部１００と時間情報変更部１０７との間に経過時間タイマ１０６を備える。従って、時間情報変更部１０７に対する出力は経過時間となる。通信動作は、第６実施形態における、第１の送信データに対するＡＣＫデータが検出されるまでの動作と同じである。第２の送信データを送信する際に、送信データが時間情報フレームであることが検出される。時間情報フレーム検出信号がアクティブになると、経過時間タイマ１０６のカウントは初期化され、カウントアップを開始する。送信制御部１５２が時間情報変更部１０７に対して遅延情報送信指示信号をアクティブにした時は、第６実施形態とは異なり、選択送信データに含まれる時間情報に経過時間を加算して更新フレームデータを送信部１５４に出力する。
【００５６】
上記構成によれば、フレーム内の時間情報そのものを送信装置側で変更するため、フレームが長くならず、また時間補正による伝送効率の低下がない。また、無線ＬＡＮ送信装置内に遅延時間計測用の経過時間タイマを設けることにより、さまざまな精度で時間を計測することが可能となる。
【００５７】
（第８実施形態）
図１０は本発明の第８実施形態に係る無線ＬＡＮ受信装置の要部構成を示すブロック図である。第８実施形態の無線ＬＡＮ受信装置は、第１実施形態の無線ＬＡＮ送信装置から信号を受信するための無線ＬＡＮ受信装置である。第８実施形態の無線ＬＡＮ受信装置は、受信アンテナ２５０と、受信部２５１と、送信アンテナ２５２と、送信部２５３と、受信データバッファ２５４と、エラー検出部２５５と、ＡＣＫ送信部２５６と、時間情報フレーム検出部２００と、フレーム記憶部２０１と、遅延時間計算部２０３と、時間情報補正部２０４と、受信データ選択部２０５とを備える。
【００５８】
受信部２５１は、受信アンテナ２５０を介して無線ＬＡＮ送信装置からの信号を受信し、復調処理して、復調データを出力する。受信データバッファ２５４は、受信部２５１からの復調データを蓄える。エラー検出部２５５は、復調データにエラーがないかどうかを検出し、正常受信確認信号と復調データ有効信号を出力する。ＡＣＫ送信部２５６は、正常受信確認信号によりＡＣＫデータを出力する。送信部２５３は、ＡＣＫデータを変調して送信アンテナ２５２を介して出力する。
【００５９】
時間情報フレーム検出部２００は、復調データ有効信号がアクティブな場合、受信したフレームが時間情報を伝送するフレームであることを検出する。フレーム記憶部２０１は、時間情報フレームを検出したことを示す時間情報フレーム検出信号がアクティブであれば、受信データバッファ２５４からの出力である受信データを記憶する。遅延時間計算部２０３は、受信データに含まれる時間情報フレームの時間情報と送信装置のタイマと同期するタイマ２０２のタイマデータとの差を計算する。時間情報補正部２０４は、フレーム記憶部２０１で記憶した記憶フレームデータの時間情報に遅延時間計算部２０３で計算した遅延時間データを加算することで時間情報を補正する。受信データ選択部２０５は、遅延情報フレーム取り込み信号がアクティブになると、補正後フレームデータを選択し、遅延情報フレーム取り込み信号がインアクティブになると受信データを選択する。
【００６０】
図１１及び図１２は受信動作を示すフローチャートである。まず、第１の送信データが無線ＬＡＮ送信装置より送信され、データ受信を開始すると（ステップＳ１１０１）、受信部２５１は受信したデータを復調し、受信データバッファ２５４は復調データを取り込む（ステップＳ１１０２）。エラー検出部２５５は復調データにエラーがあるかを確認する（ステップＳ１１０３）。図２０に示すように、第１の送信データは１度の送信で正常受信されるので、第１の送信データの復調データにはエラーがないと判定し、正常受信確認信号及び復調データ有効信号をアクティブにする（ステップＳ１１０４）。一方、ステップＳ１１０３において、復調データにエラーがあると判定した場合、正常受信確認信号及び復調データ有効信号はインアクティブのままである（ステップＳ１１０９）。ステップＳ１１０４で、復調データ有効信号がアクティブであるため、時間情報フレーム検出部２００は、受信した信号は時間情報フレームであるかどうかを検出する（ステップＳ１１０５）。第１の送信データは時間情報フレームではないので、時間情報フレーム検出信号と遅延情報取り込み信号はインアクティブのままである。ＡＣＫ送信部２５６では正常受信確認信号がアクティブであるため、ＡＣＫデータを送信部２５３に対して出力する（ステップＳ１１０６）。送信部２５３はＡＣＫデータを変調し、送信アンテナ２５２を介して送信する（ステップＳ１１０７）。また、受信データバッファ２５４は復調データを受信データとして出力する。受信データ選択部２０５は、遅延情報取り込み信号がインアクティブであるため、受信データを選択し、選択受信データとして出力する（ステップＳ１１０８）。
【００６１】
続いて第２の送信データの受信を開始すると（ステップＳ１１０１）、受信部２５１は受信したデータを復調し、受信データバッファ２５４は復調データを取り込む（ステップＳ１１０２）。エラー検出部２５５は復調データにエラーがあるかを確認する（ステップＳ１１０３）。図２０に示すように、第２の送信データは１度目のデータ伝送ではエラーが発生するため、正常受信確認信号及び復調データ有効信号はインアクティブのままである（ステップＳ１１０９）。復調データ有効信号がインアクティブなので、時間情報フレーム検出部２００は動作しない。
【００６２】
続いて、第２の送信データが再送されると、第２の送信データの受信を開始し（ステップＳ１１０１）、受信部２５１は受信したデータを復調し、受信データバッファ２５４は復調データを取り込む（ステップＳ１１０２）。エラー検出部２５５は復調データにエラーがあるかを確認する（ステップＳ１１０３）。図２０に示すように、２度目のデータ伝送ではエラーなしでデータを受信できるため、正常受信確認信号及び復調データ有効信号をアクティブにする（ステップＳ１１０４）。時間情報フレーム検出部２００は、復調データ有効信号がアクティブであるため、受信した信号が時間情報フレームであるかどうかを検出する（ステップＳ１１０５）。第２の送信データは時間情報フレームであるため、時間情報フレーム検出信号がアクティブになる（ステップＳ１１１０）。また、ＡＣＫ送信部２５６は、正常受信確認信号がアクティブであるため、ＡＣＫデータを出力する（ステップＳ１１１１）。送信部２５３はＡＣＫデータを変調し、送信アンテナ２５２を介して出力する（ステップＳ１１１２）。また、復調データ有効信号がアクティブであるため、受信データバッファ２５４は、時間情報フレームを受信データとして出力する。フレーム記憶部２０１は、時間情報フレーム検出信号がアクティブであるため、受信データを記憶する（ステップＳ１１１３）。
【００６３】
続いて無線ＬＡＮ送信装置より遅延情報フレームが送られてくると、受信部２５１は、受信アンテナ２５０を介して遅延情報フレームを受信し、受信データバッファ２５４は復調データを取り込む（ステップＳ１１１４）。エラー検出部２５５は、復調データにエラーがあるかを判断する（ステップＳ１１１５）。ステップＳ１１１５において、復調データにエラーがないと判定した場合、エラー検出部２５５は、正常受信確認信号及び復調データ有効信号をアクティブにする（ステップＳ１１１６）。時間情報フレーム検出後の正常フレーム受信であるため、遅延情報取り込み信号はアクティブであり、時間情報フレーム検出信号はインアクティブである（ステップＳ１１１７）。ＡＣＫ送信部２５６は、正常受信確認信号がアクティブであるため、ＡＣＫデータを出力する（ステップＳ１１１８）。送信部２５３はＡＣＫデータを変調し、送信アンテナ２５２を介して出力する（ステップＳ１１１９）。一方、受信データバッファ２５４は遅延情報フレームを受信データとして出力する（ステップＳ１１２０）。遅延情報取り込み信号がアクティブであるため、遅延時間計算部２０３はタイマデータから受信データの遅延情報を減算することで遅延時間を計算し、遅延時間データを時間情報補正部２０４に対して出力する（ステップＳ１１２１）。時間情報補正部２０４はフレーム記憶部２０１からの記憶フレームデータの時間情報に遅延時間データを加算して時間を補正し、時間を補正した補正後フレームデータを出力する（ステップＳ１１２２）。受信データ選択部２０５は、遅延情報取り込み信号がアクティブであるため、補正後フレームデータを選択し、選択受信データとして出力する（ステップＳ１１２３）。
【００６４】
上記構成によれば、無線ＬＡＮ送信装置側で記憶した送信データ取り込み時間を使用して無線ＬＡＮ端末間での遅延時間を計算し、時間データの補正を行なうことができる。
【００６５】
（第９の実施の形態）
図１３は本発明の第９実施形態に係る無線ＬＡＮ受信装置の要部構成を示すブロック図である。第９実施形態の無線ＬＡＮ受信装置は、本発明の第２実施形態の無線ＬＡＮ送信装置からの信号を受信するための無線ＬＡＮ受信装置である。第９実施形態の無線ＬＡＮ受信装置は、図１０に示す第８実施形態の構成のタイマ２０２と遅延時間計算部２０３とを削除したものである。時間情報補正部２０４は受信データが直接入力され、受信データの遅延情報データを抜き出した後、記憶フレームデータの時間情報に遅延情報データを加算する。遅延情報がフレーム内のどこにあるかは送受信端末間で取り決められているものとする。
【００６６】
図１４及び図１５は受信動作を示すフローチャートである。図１１及び１２に示した第８実施形態の無線ＬＡＮ受信装置の受信動作に対し、時間情報フレームをエラーなして受信するまでの動作、すなわち、ステップＳ１１１５までの動作は同じである。エラー検出部２５５は復調データにエラーがあるかを判断し、復調データにエラーがないと判定した場合、正常受信確認信号及び復調データ有効信号をアクティブにする（ステップＳ１４１６）。時間情報フレーム検出後の正常フレーム受信であるため、遅延情報取り込み信号はアクティブであり、時間情報フレーム検出信号はインアクティブである（ステップＳ１４１７）。ＡＣＫ送信部２５６は、正常受信確認信号がアクティブなため、ＡＣＫデータを出力し（ステップＳ１４１８）、送信部２５３はＡＣＫデータを変調して送信アンテナ２５２を介して出力する（ステップＳ１４１９）。受信データバッファ２５４は遅延情報フレームを受信データとして出力する（ステップＳ１４２０）。時間情報補正部２０４は、遅延情報取り込み信号がアクティブになったため、入力されている受信データの決められたフレーム位置から遅延情報データを抜き出し、記憶フレームデータの時間情報に加算して（ステップＳ１４２１）、時間を補正したフレームを補正後フレームデータとして出力する（ステップＳ１４２２）。受信データ選択部２０５は、遅延情報取り込み信号がアクティブなため、補正後フレームデータを選択し、選択受信データとして出力する（ステップＳ１４２３）。
【００６７】
上記構成によれば、無線ＬＡＮ送信装置側でエラー発生による遅延時間計算をすることにより、無線ＬＡＮ間でのタイマずれや受信装置側にタイマがない場合でも時間補正が可能となる。
【００６８】
（第１０の実施の形態）
図１６は本発明の第１０実施形態に係る無線ＬＡＮ受信装置の要部構成を示すブロック図である。第１０実施形態の無線ＬＡＮ受信装置は、本発明の第３実施形態の無線ＬＡＮ送信装置からの信号を受信するための無線ＬＡＮ受信装置である。第１０実施形態の無線ＬＡＮ受信装置は、図１０に示す第８実施形態の構成に対し、時間情報フレーム検出部２００と遅延時間計算部２０３の間に送信時間抽出部２０６を備える。また、受信データ選択部２０５には、遅延情報取り込み信号の代わりに、時間情報フレーム検出信号が入力される。送信時間抽出部２０６は、時間情報フレームの中に無線ＬＡＮ送信装置側で挿入した送信データ取り込み時間を抽出する。
【００６９】
図１７は受信動作を示すフローチャートである。図１１及び１２に示す第８実施形態の無線ＬＡＮ受信装置の受信動作において、再送した第２データの時間情報フレームをエラーなして受信し、ＡＣＫデータを送信するまでの動作、すなわち、ステップＳ１１１３までの動作は同じである。送信時間抽出部２０６は、時間情報フレーム検出信号がアクティブであるため、受信データに挿入されている遅延情報、すなわち送信データ取り込み時間を抽出し、出力する（ステップＳ１７１４）。遅延時間計算部２０３は、現在のタイマ２０２の値から送信データ取り込み時間を減算し遅延時間を計算し、時間情報補正部２０４に対して遅延時間データを出力する（ステップＳ１７１５）。時間情報補正部２０４は、記憶フレームデータの時間情報に遅延時間データを加算して時間情報を補正し、時間情報を補正した補正後フレームデータを出力する（ステップＳ１７１６）。受信データ選択部２０５は、時間情報フレーム検出信号がアクティブであるため、補正後フレームデータを選択し、選択受信データとして出力する（ステップＳ１７１７）。
【００７０】
上記構成によれば、時間情報を送るための余分なパケットを必要としないため、データ伝送効率が向上する。また、時間情報フレームそのものがエラーする可能性も排除できる。
【００７１】
（第１１の実施の形態）
図１８は本発明の第１１実施形態に係る無線ＬＡＮ受信装置の要部構成を示すブロック図である。第１１実施形態の無線ＬＡＮ受信装置は、本発明の第４及び第５実施形態の無線ＬＡＮ送信装置からの信号を受信するための無線ＬＡＮ受信装置である。第１１実施形態の無線ＬＡＮ受信装置は、第８実施形態の構成に対し、タイマ２０２と遅延時間計算部２０３とを削除し、遅延時間抽出部２０７を備える。また、受信データ選択部２０５には、遅延情報取り込み信号の代わりに、時間情報フレーム検出信号が入力される。遅延時間抽出部２０７は、時間情報フレームの中に無線ＬＡＮ送信装置側で挿入した遅延時間データを抽出し、抽出した遅延時間データを出力する。
【００７２】
図１９は受信動作を示すフローチャートである。図１１及び図１２に示した第８実施形態の無線ＬＡＮ受信装置の受信動作に対し、再送された第２データの時間情報フレームをエラーなして受信し、ＡＣＫデータを送信するまでの動作、すなわち、ステップＳ１１１３までの動作は同じである。遅延時間抽出部２０７は、時間情報フレーム検出信号がアクティブであるため、受信データに挿入されている遅延時間データを抽出し、遅延時間データを出力する（ステップＳ１９１４）。時間情報補正部２０４は、フレーム記憶部２０１からの記憶フレームデータの時間情報に遅延時間データを加算して、時間情報を補正する（ステップＳ１９１５）。時間情報を補正したフレームを補正後フレームデータとして出力する（ステップＳ１９１６）。最後に、受信データ選択部２０５は、時間情報フレーム検出信号がアクティブであるため、補正後フレームデータを選択し、選択受信データとして出力する（ステップＳ１９１７）。
【００７３】
上記構成によれば、無線ＬＡＮ送信装置側で遅延時間計算をすることにより、無線ＬＡＮ端末間でのタイマのずれがあった場合でも時間補正が可能となる。また、時間情報を送るための余分なパケットを必要としないため、データ伝送効率が向上する。また、時間情報フレームそのものがエラーとなる可能性も排除できる。
【産業上の利用可能性】
【００７４】
本発明のデータ送信装置及びデータ受信装置は、データ伝送でエラーが発生した場合でも、時間情報フレームを検出した時刻や検出した時刻からの経過時間を受信側へ送信することで、受信側における遅延時間の補正が可能になるとおう効果を有し、データの送受信を行うデータ送信装置及びデータ受信装置等として有用である。
【図面の簡単な説明】
【００７５】
【図１】本発明の第１実施形態に係る無線ＬＡＮ送信装置の要部構成を示すブロック図
【図２】本発明の第１の実施形態における無線ＬＡＮ送信装置の動作説明のためのフロー図
【図３】本発明の第１の実施形態における無線ＬＡＮ送信装置の動作説明のためのフロー図
【図４】本発明の第２実施形態に係る無線ＬＡＮ送信装置の要部構成を示すブロック図
【図５】本発明の第３実施形態に係る無線ＬＡＮ送信装置の要部構成を示すブロック図
【図６】本発明の第４実施形態に係る無線ＬＡＮ送信装置の要部構成を示すブロック図
【図７】本発明の第５実施形態に係る無線ＬＡＮ送信装置の要部構成を示すブロック図
【図８】本発明の第６実施形態に係る無線ＬＡＮ送信装置の要部構成を示すブロック図
【図９】本発明の第７実施形態に係る無線ＬＡＮ送信装置の要部構成を示すブロック図
【図１０】本発明の第８実施形態に係る無線ＬＡＮ受信装置の要部構成を示すブロック図
【図１１】本発明の第８実施形態における無線ＬＡＮ受信装置の動作説明のためのフロー図
【図１２】本発明の第８実施形態における無線ＬＡＮ受信装置の動作説明のためのフロー図
【図１３】本発明の第９実施形態に係る無線ＬＡＮ受信装置の要部構成を示すブロック図
【図１４】本発明の第９実施形態における無線ＬＡＮ受信装置の動作説明のためのフロー図
【図１５】本発明の第９実施形態における無線ＬＡＮ受信装置の動作説明のためのフロー図
【図１６】本発明の第１０実施形態に係る無線ＬＡＮ受信装置の要部構成を示すブロック図
【図１７】本発明の第１０実施形態における無線ＬＡＮ受信装置の動作説明のためのフロー図
【図１８】本発明の第１１実施形態に係る無線ＬＡＮ受信装置の要部構成を示すブロック図
【図１９】本発明の第１１実施形態における無線ＬＡＮ受信装置の動作説明のためのフロー図
【図２０】本発明の実施形態における無線ＬＡＮ装置の第１の送受信手順を示す図
【図２１】本発明の実施形態における無線ＬＡＮ装置の第２の送受信手順を示す図
【図２２】従来の無線ＬＡＮ送信装置の要部構成を示すブロック図
【図２３】従来の無線ＬＡＮ受信装置の要部構成を示すブロック図
【図２４】従来の無線ＬＡＮ装置の送受信手順を示す図
【符号の説明】
【００７６】
１５１  送信データバッファ
１５２  送信制御部
１５３  バッファ選択部
１５４  送信部
１５５  送信アンテナ
１５６  再送データバッファ
１５７  ＡＣＫ検出部
１５８  受信部
１５９  受信アンテナ
１００  時間情報フレーム検出部
１０１  タイマ
１０２  タイマ記憶部
１０３  遅延情報送信部
１０４  遅延時間計算部
１０５  フレーム情報追加部
１０６  経過時間タイマ
１０７  時間情報変更部
２５０  受信アンテナ
２５１  受信部
２５２  送信アンテナ
２５３  送信部
２５４  受信データバッファ
２５５  エラー検出部
２５６  ＡＣＫ送信部
２００  時間情報フレーム検出部
２０１  フレーム記憶部
２０２  タイマ
２０３  遅延時間計算部
２０４  時間情報補正部
２０５  受信データ選択部
２０６  送信時間抽出部
２０７  遅延時間抽出部
【図１】
2005159451.tif 000003
【図２】
2005159451.tif 000004
【図３】
2005159451.tif 000005
【図４】
2005159451.tif 000006
【図５】
2005159451.tif 000007
【図６】
2005159451.tif 000008
【図７】
2005159451.tif 000009
【図８】
2005159451.tif 000010
【図９】
2005159451.tif 000011
【図１０】
2005159451.tif 000012
【図１１】
2005159451.tif 000013
【図１２】
2005159451.tif 000014
【図１３】
2005159451.tif 000015
【図１４】
2005159451.tif 000016
【図１５】
2005159451.tif 000017
【図１６】
2005159451.tif 000018
【図１７】
2005159451.tif 000019
【図１８】
2005159451.tif 000020
【図１９】
2005159451.tif 000021
【図２０】
2005159451.tif 000022
【図２１】
2005159451.tif 000023
【図２２】
2005159451.tif 000024
【図２３】
2005159451.tif 000025
【図２４】
2005159451.tif 000026